【手続補正書】
【提出日】令和2年1月29日(2020.1.29)
【手続補正１】
【補正対象書類名】特許請求の範囲
【補正対象項目名】全文
【補正方法】変更
【補正の内容】
【特許請求の範囲】
【請求項１】
対象物の３次元（３Ｄ）イメージングのための固定式口腔内トモシンセシスシステムであって、
１つまたは複数の焦点を含む空間的に分散配置されたＸ線源アレイと、
関節アームの第１の端部において前記空間的に分散配置されたＸ線源アレイに取り付けられた自由度（ＤＯＦ）装置であって、前記関節アームの前記第１の端部が前記対象物の最も近くに位置する、自由度（ＤＯＦ）装置と、
電源と、前記空間的に分散配置されたＸ線源アレイを制御するように構成された制御電子機器とを備える制御ユニットであって、前記関節アームの第２の端部に取り付け可能であり、前記関節アームの内側を通ってまたは前記関節アームに沿って電気ケーブルを介して前記空間的に分散配置されたＸ線源に接続され、壁または表面に装着可能である、制御ユニットと、
１つまたは複数のＸ線投影画像を記録するように構成された口腔内検出器であって、前記１つまたは複数のＸ線投影画像の各々は、前記空間的に分散配置されたＸ線源アレイの前記１つまたは複数の焦点の対応する焦点から放射されたＸ線放射によって生成される、口腔内検出器と、
前記空間的に分散配置されたＸ線源アレイと、前記患者との間に配設されたコリメータであって前記空間的に分散配置されたＸ線源アレイを前記Ｘ線検出器に結合させ、前記空間的に分散配置されたＸ線源アレイの前記１つまたは複数の焦点から放射されたＸ線放射を、前記口腔内検出器によって画定された共通領域に制限する、コリメータとを備え、
前記システムは、トモシンセシス再構成を実行して、コンピューティングプラットフォームを使用して前記１つまたは複数のＸ線投影画像を使用して１つまたは複数の３Ｄ画像を生成するように構成される、固定式口腔内トモシンセシスシステム。
【請求項２】
前記空間的に分散配置されたＸ線源アレイが、当該Ｘ線源アレイを前記対象物と整列させるために、前記ＤＯＦ装置によって規定された約３つの独立した軸周りで回転可能である、請求項１に記載のシステム。
【請求項３】
前記コリメータが、
照準コーンと、
前記空間的に分散配置されたＸ線源アレイに近接して前記照準コーンの第１の端部に配接された第１のコリメータプレートであって、１つまたは複数の開口を含み、前記開口の各々は、前記空間的に分散配置されたＸ線源アレイの前記１つまたは複数の焦点の前記対応する焦点から放射された前記Ｘ線放射をコリメートするように構成される、第１のコリメータプレートと、
前記口腔内検出器に近接して前記照準コーンの第２の端部に配設された第２のコリメータプレートであって、前記１つまたは複数の焦点のすべてに合わせて構成された共通開口を含む、第２のコリメータプレートと、を備え、
前記第１および第２のコリメータプレートは、前記１つまたは複数の焦点の各々の前記Ｘ線放射が、前記空間的に分散配置されたＸ線源、前記口腔内検出器、または前記第１および／または第２のコリメータプレートのいかなる機械的動作もなく、前記口腔内検出器の表面上の実質的に共通の領域にコリメートされるように構成される、請求項１に記載のシステム。
【請求項４】
前記第１および第２のコリメータプレートが、前記照準コーン上で互いに対して実質的に平行な平面内に配設される、請求項３に記載のシステム。
【請求項５】
前記第１のコリメータプレートが、前記空間的に分散配置されたＸ線源アレイに固定され、前記第２のコリメータプレートが、前記口腔内検出器の配向および／またはサイズに応じて交換可能である、請求項３に記載のシステム。
【請求項６】
前記コリメータは、前記焦点の各々からのＸ線照射が、アクティブ検出器領域の寸法の約１％以内で前記口腔内検出器にコリメートされるように構成される、請求項１に記載のシステム。
【請求項７】
前記空間的に分散配置されたＸ線源アレイが、カーボンナノチューブに基づく電界放射Ｘ線源アレイを含む、請求項１に記載のシステム。
【請求項８】
前記口腔内検出器が、前記空間的に分散配置されたＸ線源アレイからのＸ線照射と同期して１回または複数の走査中に前記１つまたは複数のＸ線投影画像を記録するデジタル検出器であり、前記１つまたは複数のＸ線投影画像の各々は、前記空間的に分散配置されたＸ線源アレイの前記１つまたは複数の焦点の前記対応する焦点から放射された前記Ｘ線放射によって生成される、請求項１に記載のシステム。
【請求項９】
前記１つまたは複数のＸ線投影画像が、前記口腔内検出器を前記コンピューティングプラットフォームに接続するデータ送信ラインまたはその間の無線送信を介して、前記口腔内検出器から前記コンピュータプラットフォームに送信されるように構成される、請求項１に記載のシステム。
【請求項１０】
前記システムが、トモシンセシス走査を実行するように構成され、前記トモシンセシス走査は、前記１つまたは複数のＸ線投影画像を収集することを含み、Ｘ線照射および前記１つまたは複数のＸ線投影画像を収集することは、予めプログラムされたプロトコルに従って同期化され、前記予めプログラムされたプロトコルは、
Ｘ線放射をあるＸ線照射時間の間放射するために第１の焦点を活性化させ、口腔内検出器データの取得をあるドウェルタイムの間トリガするステップであって、前記ドウェルタイムは、前記Ｘ線照射時間と同じ持続時間である、活性化させ、トリガするステップと、
前記ドウェルタイム後、前記Ｘ線放射が前記第１の焦点から放射されるのを止めるために前記第１の焦点を活性化解除し、前記口腔内検出器データを固定された読み取り時間の間、前記コンピューティングプラットフォームに送信するステップと、
前記固定された読み取り時間後、Ｘ線放射を前記Ｘ線照射時間の間放射するために第２の焦点を活性化させ、新しい口腔内検出器データのその後の取得を前記ドウェルタイムの間トリガするステップと、
前記ドウェルタイム後、前記Ｘ線放射が前記第２の焦点から放射されるのを止めるために前記第２の焦点を活性化解除し、前記新しい口腔内検出器データを、固定された読み取り時間の間前記コンピューティングプラットフォームに送信するステップと、
最後の焦点からの最後のＸ線投影画像が取得され、前記コンピューティングプラットフォームに送信されるまで、前記活性化および活性化解除ステップを繰り返すステップとを含む、請求項１に記載のシステム。
【請求項１１】
前記システムが、トモシンセシス走査を実行するように構成され、前記トモシンセシスス走査は、前記１つまたは複数のＸ線投影画像を収集することを含み、Ｘ線照射および前記１つまたは複数のＸ線投影画像を収集することは、予めプログラムされたプロトコルに従って同期化されるように構成され、前記予めプログラムされたプロトコルは、
Ｘ線照射によって、前記１つまたは複数のＸ線投影画像の各々に対する口腔内検出器データの取得をあるドウェルタイムの間トリガすることであって、前記Ｘ線照射は、前記対応する焦点から放射されたＸ線放射を含み、前記ドウェルタイムは、前記１つまたは複数のＸ線投影画像の各々に対して予め設定される、トリガするステップと、
各Ｘ線照射後、前記口腔内検出器データを前記コンピューティングプラットフォームに送信するステップと、
前記１つまたは複数のＸ線投影画像の各々の前記取得後、前記口腔内検出器をリセットするステップと
最後の焦点からの前記１つまたは複数のＸ線投影画像の最後が取得され、送信されるまで、前記トリガ、送信、およびリセットステップを繰り返すステップとを含む、請求項１に記載のシステム。
【請求項１２】
前記制御ユニットが、前記１つまたは複数の焦点の各々に対してＸ線管電流を同じＸ線管電流に設定するように構成され、
前記制御ユニットが、対応する各焦点の陰極に対して抽出ゲートに抽出電圧をかけるように構成され、
前記１つまたは複数のＸ線投影画像の各々に対するＸ線照射レベルが、Ｘ線照射時間を変化させることによって設定される、請求項１に記載のシステム。
【請求項１３】
Ｘ線検出器ホルダであって、前記Ｘ線検出器ホルダの第１の端部において前記コリメータに、前記Ｘ線検出器ホルダの第２の端部において前記口腔内検出器に結合するように構成される、Ｘ線検出器ホルダをさらに備え、前記口腔内検出器は、前記Ｘ線検出器ホルダの前記第２の端部に装着され、前記患者の口の内側に置かれるように構成され、前記Ｘ線検出器ホルダの前記第１の端部は、前記コリメータの射出窓に結合される、請求項１に記載のシステム。
【請求項１４】
複数の磁石が、前記Ｘ線検出器ホルダの前記第１の端部の表面および前記コリメータ上に配設されて、前記Ｘ線検出器ホルダを前記コリメータに磁気的に結合させる、請求項１３に記載のシステム。
【請求項１５】
前記システムが、一定の照射モードで作動され、Ｘ線照射レベルが、前記１つまたは複数の焦点の各々に対してＸ線管電流を変化させることによって調節可能である、請求項１に記載のシステム。